(57)【特許請求の範囲】
【請求項１】
撮像対象物を配置する原稿台と、
前記原稿台上の前記撮像対象物を撮像して撮像映像信号を出力する書画カメラと、
投写レンズを備え、前記原稿台と一体的に設けられたプロジェクタ本体部と、
前記書画カメラの撮像映像信号を記憶する画像データ記録部と、
前記書画カメラの撮像映像信号と前記画像データ記録部の映像信号とを合成処理して、多画面映像信号を生成する画像処理部と、
前記画像処理部の映像信号に従い、表示デバイスを駆動して該表示デバイスに映像を映出させる表示デバイス駆動部と、
前記表示デバイスの映像を前記投写レンズを介してスクリーンへ拡大投写する拡大投射部と、
を具備し、
前記多画面映像信号により表示される複数の画面のうち、１つの画面に前記書画カメラからの撮像映像信号を表示し、それ以外の複数の画面には前記画像データ記録部に記憶した映像信号を表示する一方、
前記多画面映像信号により表示される複数の画面のうち、操作手段の操作に基づいて、少なくとも１つの画面を選択して強調表示し、さらに、その選択画面のみを拡大投射して表示可能とすることを特徴とする書画カメラ付きデータプロジェクタ。
【請求項２】
撮像対象物を配置する原稿台と、
前記原稿台上の前記撮像対象物を撮像して撮像映像信号を出力する書画カメラと、
投写レンズを備え、前記原稿台と一体的に設けられたプロジェクタ本体部と、
前記書画カメラの撮像映像信号を記憶する画像データ記録部と、
前記書画カメラの撮像映像信号と前記画像データ記録部の映像信号とを合成処理して、多画面映像信号を生成する画像処理部と、
前記画像処理部の映像信号に従い、表示デバイスを駆動して該表示デバイスに映像を映出させる表示デバイス駆動部と、
前記表示デバイスの映像を前記投写レンズを介してスクリーンへ拡大投写する拡大投射部と、
を具備し、
前記多画面映像信号により表示される複数の画面のうち、１つの画面に前記書画カメラからの撮像映像信号を表示し、それ以外の複数の画面には前記画像データ記録部に記憶した映像信号を表示する一方、
前記多画面映像信号により表示される複数の画面のうち、操作手段の操作に基づいて、少なくとも１つの画面を選択して強調表示し、この強調表示は、選択画面の枠部を額縁状に表示して他の小画面との違いを認識可能とし、さらに、その選択画面のみを拡大投射して表示可能とすることを特徴とする書画カメラ付きデータプロジェクタ。
【請求項３】
撮像対象物を配置する原稿台と、
前記原稿台上の前記撮像対象物を撮像して撮像映像信号を出力する書画カメラと、
投写レンズを備え、前記原稿台と一体的に設けられたプロジェクタ本体部と、
前記書画カメラの撮像映像信号を記憶する画像データ記録部と、
前記書画カメラの撮像映像信号と前記画像データ記録部の映像信号とを合成処理して、多画面映像信号を生成する画像処理部と、
前記画像処理部の映像信号に従い、表示デバイスを駆動して該表示デバイスに映像を映出させる表示デバイス駆動部と、
前記表示デバイスの映像を前記投写レンズを介してスクリーンへ拡大投写する拡大投射部と、
を具備し、
前記多画面映像信号により表示される複数の画面のうち、１つの画面に前記書画カメラからの撮像映像信号を表示し、それ以外の複数の画面には前記画像データ記録部に記憶した映像信号を表示する一方、
前記多画面映像信号により表示される複数の画面のうち、操作手段の操作に基づいて、少なくとも１つの画面を選択して強調表示し、この強調表示は、選択画面以外の小画面に網掛けを施して選択画面のみ認識可能とし、さらに、その選択画面のみを拡大投射して表示可能とすることを特徴とする書画カメラ付きデータプロジェクタ。
【請求項４】
撮像対象物を配置する原稿台と、
前記原稿台上の前記撮像対象物を撮像して撮像映像信号を出力する書画カメラと、
投写レンズを備え、前記原稿台と一体的に設けられたプロジェクタ本体部と、
前記書画カメラの撮像映像信号を記憶する画像データ記録部と、
前記書画カメラの撮像映像信号と前記画像データ記録部の映像信号とを合成処理して、多画面映像信号を生成する画像処理部と、
前記画像処理部の映像信号に従い、表示デバイスを駆動して該表示デバイスに映像を映出させる表示デバイス駆動部と、
前記表示デバイスの映像を前記投写レンズを介してスクリーンへ拡大投写する拡大投射部と、
を具備し、
前記多画面映像信号により表示される複数の画面のうち、１つの画面に前記書画カメラからの撮像映像信号を表示し、それ以外の複数の画面には前記画像データ記録部に記憶した映像信号を表示する一方、
前記多画面映像信号により表示される複数の画面のうち、操作手段の操作に基づいて、少なくとも１つの画面を選択して強調表示し、この強調表示は、選択画面の枠部を立体的にしてあたかもその選択画面を切り出したかのように表示して他の小画面との違いを認識可能とし、さらに、その選択画面のみを拡大投射して表示可能とすることを特徴とする書画カメラ付きデータプロジェクタ。
【請求項５】
撮像対象物を配置する原稿台と、
前記原稿台上の前記撮像対象物を撮像して撮像映像信号を出力する書画カメラと、
投写レンズを備え、前記原稿台と一体的に設けられたプロジェクタ本体部と、
前記書画カメラの撮像映像信号を記憶する画像データ記録部と、
前記書画カメラの撮像映像信号と前記画像データ記録部の映像信号とを合成処理して、多画面映像信号を生成する画像処理部と、
前記画像処理部の映像信号に従い、表示デバイスを駆動して該表示デバイスに映像を映出させる表示デバイス駆動部と、
前記表示デバイスの映像を前記投写レンズを介してスクリーンへ拡大投写する拡大投射部と、
を具備し、
前記多画面映像信号により表示される複数の画面のうち、１つの画面に前記書画カメラからの撮像映像信号を表示し、それ以外の複数の画面には前記画像データ記録部に記憶した映像信号を表示する一方、
前記多画面映像信号により表示される複数の画面のうち、少なくとも１つの画面の位置及び面積を調整可能とすることを特徴とする書画カメラ付きデータプロジェクタ。
【発明の詳細な説明】
【０００１】
【発明の属する技術分野】
本発明は、書類等を撮影する書画カメラの撮像映像信号とパーソナルコンピュータ等の外部情報機器から供給される映像信号とを拡大投射して表示することができ、特にこれらの映像を合成処理して１つの投射画面に多画面表示させるのに好適の書画カメラ付きデータプロジェクタに関する。
【０００２】
【従来の技術】
近年、画像信号処理回路は、ディジタル化の採用により、その応用範囲が広がっており、また、画像処理対象となる入力画像信号も年々高精細になっている。このため、画像信号処理回路を搭載した機器では、画像処理に必要なデータ処理能力が従来のものよりもさらに高速化が要求されつつあり、また如何なる映像ソースでもその入力映像信号に対応した画像処理が行えるようにデータ処理能力の拡大化も望まれている。
【０００３】
このような要求に伴い、最近では、画像処理回路を搭載した映像機器として、従来のオーバーヘッドプロジェクタに代り、パーソナルコンピュータ（以下、パソコン）等を接続し、その映像信号を拡大投射して、多数の聴衆が同時に動画等のパソコン画面を見ることができるデータプロジェクタが普及しているが、パソコン以外の資料をも投射することができる書画カメラ付きデータプロジェクタはさらに使い勝手が良く、今後広く普及していくと思われる。
【０００４】
このような従来の書画カメラ付きデータプロジェクタのブロック図を図９に示し、斜視図を図１０に示す。
【０００５】
先ず図１０において、外形を説明すると、書画カメラ付きデータプロジェクタ１００は、原稿台１０１と、支柱１０２と、書画カメラ１０３と、プロジェクタ本体部１０４と、で構成されている。
【０００６】
プロジェクタ本体部１０４には、スクリーン１０５の正面側に投写レンズ１０７が取付けられ、上面が原稿台１０１となっている。
【０００７】
プロジェクタ本体部１０４の側面には入力端子１０８が設けられ、パソコン１０９からの映像信号が接続ケーブル１１０を介して入力端子１０８に供給されていて、図１０に示すスクリーン１０５にはパソコン画面１１１の映像１０６が投射されている。
【０００８】
また、プロジェクタ本体部１０４の側面にはリモートコントロール（以下、リモコン）受信部１１２が設けられ、操作手段であるリモコン発信器１１３のリモコン信号を受信できるようになっている。さらに、本体操作キー１１４も備わっており、プロジェクタ本体部１０４においてもキー操作ができるようにしている。
【０００９】
原稿台１０１には書類等の撮像対象物１１５を配置する。この原稿台１０１には、支柱１０２の一端側が取り付けられ、支柱１０２の他端側には書画カメラ１０３が取付けられている。
【００１０】
この従来の書画カメラ付きデータプロジェクタ１００の動作を図９とともに説明する。
【００１１】
図９において、書画カメラ１０３により撮影された書類等の撮像対象物１１５の映像信号は、支柱１０２内の図示しないケーブルを介してプロジェクタ本体部１０４へ供給される。
【００１２】
一方、パソコン１０９からの映像信号が接続ケーブル１１０（図１０参照）を介して入力端子１０８からプロジェクタ本体部１０４へ供給される。
【００１３】
ユーザーの必要性により適宜、リモコン発信器１１３のキー操作による切換信号がリモコン受信部１１２を介して切換部１１６へ送られ、書画カメラ１０３の撮像映像とパソコン１０９の映像のどちらか選択した方の映像信号が切換部１１６で選択出力される。
【００１４】
切換部１１６で選択された映像信号は、表示デバイス駆動部１１７に供給され、表示デバイス１１８にその選択した映像（図１０では、パソコン画面１１１）を表示するように駆動する。表示デバイス１１８に映出した映像は拡大投射部１１９の一部である投写レンズ１０７（図１０参照）によりスクリーン１０５へ投射される。
【００１５】
このような書画カメラ付きデータプロジェクタは、パソコン等の外部情報機器から供給される映像信号と書画カメラの撮像映像信号とを選択して切り換えるため、パソコン等の外部情報機器の映像を映しながら同時に書画カメラの撮像映像を映すことができなかった。
【００１６】
そこで別に用意した書画カメラで撮像対象物を撮影し、その撮像映像信号をパソコンに取り込んで、パソコン内の画像処理機能を使用してパソコンの映像信号に重畳しプロジェクタ本体部へ供給することも可能であるが、操作が煩雑で、置場所やコスト等の問題があった。
【００１７】
また、プロジェクタ本体部内に画像データ記録部（図示しない）を設け、予め書画カメラで撮影して画像データ記録部に記憶した撮影済みの映像を順次投射できるようにしても、記憶した映像が多くなるに従って、提示したい画面が容易に捜し出せなくなり、捜し出すのに時間がかかるという問題があった。これを防ぐために画像に番号を与え、リモコン発信器の１０キー等のキー操作によって表示したい画面を呼び出す方法もあるが、これも記憶した画面が多くなるとリモコン発信器の操作が煩雑であった。
【００１８】
【発明が解決しようとする課題】
上記の如く、従来は、パソコン等の外部情報機器からの映像信号と書画カメラの撮像映像信号とを選択して切り換えるため、パソコン等の映像を映しながら同時に書画カメラの撮像映像を映すことができなかった。これを防ぐために書画カメラの撮像映像信号をパソコンに取り込んでプロジェクタ本体部へ供給しても操作が煩雑で、置場所やコスト等の問題があった。また、撮影済みの画面を順次投射していくのも煩雑な操作が必要であった。
【００１９】
そこで、本発明は上記の問題に鑑み、パソコン等の外部情報機器から供給される映像を映しながら同時に書画カメラの撮像映像をも映して、１つの投射画面に多画面表示することができる書画カメラ付きデータプロジェクタを提供する事を目的とするものである。
【００２０】
【課題を解決するための手段】
本発明の請求項１に係わる書画カメラ付きデータプロジェクタは、撮像対象物を配置する原稿台と、前記原稿台上の前記撮像対象物を撮像して撮像映像信号を出力する書画カメラと、投写レンズを備え、前記原稿台と一体的に設けられたプロジェクタ本体部と、前記書画カメラの撮像映像信号を記憶する画像データ記録部と、前記書画カメラの撮像映像信号と前記画像データ記録部の映像信号とを合成処理して、多画面映像信号を生成する画像処理部と、前記画像処理部の映像信号に従い、表示デバイスを駆動して該表示デバイスに映像を映出させる表示デバイス駆動部と、前記表示デバイスの映像を前記投写レンズを介してスクリーンへ拡大投写する拡大投射部と、を具備し、前記多画面映像信号により表示される複数の画面のうち、１つの画面に前記書画カメラからの撮像映像信号を表示し、それ以外の複数の画面には前記画像データ記録部に記憶した映像信号を表示する一方、前記多画面映像信号により表示される複数の画面のうち、操作手段の操作に基づいて、少なくとも１つの画面を選択して強調表示し、さらに、その選択画面のみを拡大投射して表示可能とすることを特徴とする。
【００２１】
上記請求項１記載の発明によれば、書画カメラの撮像映像信号と画像データ記録部に記憶した映像信号とを合成処理し、スクリーンに拡大投射して多画面表示することができる。これにより、書画カメラで前もって撮影済みの映像を複数映しながら同時に書画カメラの撮像映像をも映して、１つの投射画面に表示することができる。
操作手段のキー操作によって特定の画面を選択して強調表示することができ、さらに、その選択した画面のみを拡大投射して表示することができる書画カメラ付きデータプロジェクタを実現できる。
【００２２】
本発明の請求項２に係わる書画カメラ付きデータプロジェクタは、撮像対象物を配置する原稿台と、前記原稿台上の前記撮像対象物を撮像して撮像映像信号を出力する書画カメラと、投写レンズを備え、前記原稿台と一体的に設けられたプロジェクタ本体部と、前記書画カメラの撮像映像信号を記憶する画像データ記録部と、前記書画カメラの撮像映像信号と前記画像データ記録部の映像信号とを合成処理して、多画面映像信号を生成する画像処理部と、前記画像処理部の映像信号に従い、表示デバイスを駆動して該表示デバイスに映像を映出させる表示デバイス駆動部と、前記表示デバイスの映像を前記投写レンズを介してスクリーンへ拡大投写する拡大投射部と、を具備し、前記多画面映像信号により表示される複数の画面のうち、１つの画面に前記書画カメラからの撮像映像信号を表示し、それ以外の複数の画面には前記画像データ記録部に記憶した映像信号を表示する一方、前記多画面映像信号により表示される複数の画面のうち、操作手段の操作に基づいて、少なくとも１つの画面を選択して強調表示し、この強調表示は、選択画面の枠部を額縁状に表示して他の小画面との違いを認識可能とし、さらに、その選択画面のみを拡大投射して表示可能とすることを特徴とする。
【００２３】
本発明の請求項３に係わる書画カメラ付きデータプロジェクタは、撮像対象物を配置する原稿台と、前記原稿台上の前記撮像対象物を撮像して撮像映像信号を出力する書画カメラと、投写レンズを備え、前記原稿台と一体的に設けられたプロジェクタ本体部と、前記書画カメラの撮像映像信号を記憶する画像データ記録部と、前記書画カメラの撮像映像信号と前記画像データ記録部の映像信号とを合成処理して、多画面映像信号を生成する画像処理部と、前記画像処理部の映像信号に従い、表示デバイスを駆動して該表示デバイスに映像を映出させる表示デバイス駆動部と、前記表示デバイスの映像を前記投写レンズを介してスクリーンへ拡大投写する拡大投射部と、を具備し、前記多画面映像信号により表示される複数の画面のうち、１つの画面に前記書画カメラからの撮像映像信号を表示し、それ以外の複数の画面には前記画像データ記録部に記憶した映像信号を表示する一方、
前記多画面映像信号により表示される複数の画面のうち、操作手段の操作に基づいて、少なくとも１つの画面を選択して強調表示し、この強調表示は、選択画面以外の小画面に網掛けを施して選択画面のみ認識可能とし、さらに、その選択画面のみを拡大投射して表示可能とすることを特徴とする。
【００２４】
本発明の請求項４に係わる書画カメラ付きデータプロジェクタは、撮像対象物を配置する原稿台と、前記原稿台上の前記撮像対象物を撮像して撮像映像信号を出力する書画カメラと、投写レンズを備え、前記原稿台と一体的に設けられたプロジェクタ本体部と、前記書画カメラの撮像映像信号を記憶する画像データ記録部と、前記書画カメラの撮像映像信号と前記画像データ記録部の映像信号とを合成処理して、多画面映像信号を生成する画像処理部と、前記画像処理部の映像信号に従い、表示デバイスを駆動して該表示デバイスに映像を映出させる表示デバイス駆動部と、前記表示デバイスの映像を前記投写レンズを介してスクリーンへ拡大投写する拡大投射部と、を具備し、前記多画面映像信号により表示される複数の画面のうち、１つの画面に前記書画カメラからの撮像映像信号を表示し、それ以外の複数の画面には前記画像データ記録部に記憶した映像信号を表示する一方、前記多画面映像信号により表示される複数の画面のうち、操作手段の操作に基づいて、少なくとも１つの画面を選択して強調表示し、この強調表示は、選択画面の枠部を立体的にしてあたかもその選択画面を切り出したかのように表示して他の小画面との違いを認識可能とし、さらに、その選択画面のみを拡大投射して表示可能とすることを特徴とする。
【００２５】
上記請求項２〜４記載の発明によれば、書画カメラの撮像映像信号と画像データ記録部に記憶した映像信号とを合成処理し、スクリーンに拡大投射して多画面表示することができる。これにより、書画カメラで前もって撮影済みの映像を複数映しながら同時に書画カメラの撮像映像をも映して、１つの投射画面に表示することができる。
操作手段のキー操作によって特定の画面を選択して、その選択画面の枠部を額縁状に表示したり、選択画面以外の小画面に網掛けを施して選択画面のみ認識可能としたり、或いは、選択画面の枠部を立体的にしてあたかもその選択画面を切り出したかのように表示して他の小画面との違いを認識可能としたりして、強調表示することができ、さらに、その選択した画面のみを拡大投射して表示することができる書画カメラ付きデータプロジェクタを実現できる。
【００２６】
本発明の請求項５に係わる書画カメラ付きデータプロジェクタは、撮像対象物を配置する原稿台と、前記原稿台上の前記撮像対象物を撮像して撮像映像信号を出力する書画カメラと、投写レンズを備え、前記原稿台と一体的に設けられたプロジェクタ本体部と、前記書画カメラの撮像映像信号を記憶する画像データ記録部と、前記書画カメラの撮像映像信号と前記画像データ記録部の映像信号とを合成処理して、多画面映像信号を生成する画像処理部と、前記画像処理部の映像信号に従い、表示デバイスを駆動して該表示デバイスに映像を映出させる表示デバイス駆動部と、前記表示デバイスの映像を前記投写レンズを介してスクリーンへ拡大投写する拡大投射部と、を具備し、前記多画面映像信号により表示される複数の画面のうち、１つの画面に前記書画カメラからの撮像映像信号を表示し、それ以外の複数の画面には前記画像データ記録部に記憶した映像信号を表示する一方、前記多画面映像信号により表示される複数の画面のうち、少なくとも１つの画面の位置及び面積を調整可能とすることを特徴とする。
【００２７】
上記請求項５記載の発明によれば、書画カメラの撮像映像信号と画像データ記録部に記憶した映像信号とを合成処理し、スクリーンに拡大投射して多画面表示することができる。これにより、書画カメラで前もって撮影済みの映像を複数映しながら同時に書画カメラの撮像映像をも映して、１つの投射画面に表示することができる。
多画面表示している複数の画面のうち、１つの画面に書画カメラの撮像映像を表示し、それ以外の画面には画像データ記録部に記憶した映像を表示することや、少なくとも１つの画面の位置及び面積を調整して表示することができる書画カメラ付きデータプロジェクタを実現できる。
【００２８】
【発明の実施の形態】
以下、本発明の第１の実施の形態を図面を参照して説明する。
図１は本発明の第１の実施の形態に係る書画カメラ付きデータプロジェクタのブロック図であり、図２はその斜視図である。図９及び図１０との同一部分には同一符号を付して説明する。
【００２９】
図２における本発明の書画カメラ付きデータプロジェクタ１の外形は図１０で説明した従来のものとほぼ同じであるが、表示される映像の形態が異なっている。以下、図１を参照して従来との相違点を説明する。
【００３０】
図１において、書画カメラ付きデータプロジェクタ１は、書画カメラ１０３と、プロジェクタ本体部２とで構成され、プロジェクタ本体部２は画像処理部５と、表示デバイス１１８と、表示デバイス駆動部１１７と、投写レンズ１０７を備えた拡大投射部１１９とで構成されている。また、プロジェクタ本体部２には、パソコン１０９等の外部情報機器からの映像信号を入力する入力端子３が設けられている。書画カメラ１０３は、原稿台上の撮像対象物１１５（図２参照）を撮影して撮像映像信号を出力する。画像処理部５は、書画カメラ１０３の撮像映像信号と入力端子３から供給されるパソコン１０９の映像信号とを合成処理して、多画面映像信号を生成する。表示デバイス駆動部１１７は、画像処理部５からの映像信号に従い、表示デバイス１１８を駆動して該表示デバイス１１８に映像を映出する。拡大投射部１１９は、表示デバイス１１８の映像をスクリーン１０５へ拡大投写する。また、操作手段であるリモコン発信器６のリモコン信号は、リモコン受信部７を介して受信され、画像処理部５を制御する。
【００３１】
次に、各回路の動作を説明する。
【００３２】
プロジェクタ本体部２には、パソコン１０９の映像信号が入力端子３を介して供給される。一方、書画カメラ１０３の撮像映像信号はプロジェクタ本体部２へ供給される。これらパソコン１０９の映像信号と撮像映像信号は画像処理部５へ供給される。
【００３３】
画像処理部５は、リモコン発信器６のキー操作による情報に基づいて、書画カメラ１０３の撮像映像信号と入力端子３から供給される映像信号とを例えば図示しないスイッチ手段等で切り換えてフレーム合成し、多画面映像信号を生成する。また、リモコン発信器６のキー操作による情報に基づいて、選択画面の位置や面積を変えることができる様に、水平・垂直圧縮処理等を施して、表示デバイス駆動部１１７へ出力する。
【００３４】
表示デバイス駆動部１１７では、画像処理部５で処理された映像信号に従い、表示デバイス１１８を駆動する。表示デバイス駆動部１１７では画像処理部５の映像信号から分離した水平・垂直同期信号によるタイミング信号を発生し、図示しない水平・垂直ドライバにそのタイミング信号を供給して、液晶表示素子等で構成される表示デバイス１１８の水平・垂直方向のマトリクス状に配置された各画素に映像信号を供給して駆動する。これにより、表示デバイス１１８には映像が表示される。
【００３５】
拡大投射部１１９は光源ランプ等の光学系手段（図示しない）と投写レンズ１０７（図２参照）からなり、図示しない光源ランプからの照射光によって表示デバイス１１８に表示した映像を、図２の投写レンズ１０７で拡大投射してスクリーン１０５に映出する。
【００３６】
上記により、書画カメラ付きデータプロジェクタ１は、書画カメラ１０３の撮像映像信号と入力端子３から供給される映像信号とを合成処理し、スクリーン１０５に多画面映像を表示することができる。
【００３７】
図２におけるスクリーン１０５では、パソコン１０９から供給されたパソコン画面１１１の映像を主画面８として表示し、左上隅に書画カメラ１０３の映像を小画面９として表示している。また、逆に書画カメラ１０３の映像を主画面として表示し、小画面にパソコン１０９からの映像を表示してもよい。なお、この小画面の位置や面積は調整可能であり、リモコン発信器６のキー操作により、画像処理部５でその処理が行われて調整できるようになっている。
【００３８】
以上により、本発明の第１の実施の形態では、入力端子３から供給されるパソコン１０９等の外部情報機器の映像を映しながら同時に書画カメラ１０３の撮像映像をも映して、多画面表示することができる。
【００３９】
次に本発明の第２の実施の形態による書画カメラ付きデータプロジェクタを図３を参照して説明する。
【００４０】
図３において、書画カメラ付きデータプロジェクタ１は、書画カメラ１０３と、プロジェクタ本体部２とで構成され、プロジェクタ本体部２は、画像データ記録部４と、画像処理部５と、表示デバイス１１８と、表示デバイス駆動部１１７と、投写レンズ１０７を備えた拡大投射部１１９とで構成されている。また、プロジェクタ本体部２には、パソコン１０９等の外部情報機器からの映像信号を入力する入力端子３が設けられている。
【００４１】
図３の構成で、図１と異なる点は、書画カメラ１０３の撮像映像信号を記憶する画像データ記録部４を設けたことにあり、画像処理部５では、書画カメラ１０３の撮像映像信号と画像データ記録部４で記憶した映像信号とを合成処理して、多画面映像信号を生成することができるようにしている。さらに、本発明の第１の実施の形態で説明したのと同様に、入力端子３からのパソコン１０９等の外部情報機器の映像信号も画像処理部５へ供給でき、前記の書画映像の多画面表示に対してパソコン１０９の映像信号を合成処理することができるようになっている。また、操作手段であるリモコン発信器６が設けられ、そのキー操作による情報に基づいて画像データ記録部４及び画像処理部５を制御し、画像データ記録部４の入出力や画像処理部５の合成処理及び強調表示等の各種処理を行うようにしている。それ以外の構成は図１と同様であるので画像データ記録部４及び画像処理部５の動作のみ説明する。
【００４２】
書画カメラ１０３の撮像映像信号は画像処理部５と画像データ記録部４へ供給される。
【００４３】
画像データ記録部４は、図示しない画像メモリ例えばＤＲＡＭ（ダイナミックランダムアクセスメモリ）やＳＲＡＭ（スタティクランダムアクセスメモリ）等で構成され、予め書画カメラ１０３で撮影した撮像映像信号を記憶し、適宜、リモコン発信器６のキー操作によって、その記憶した映像信号を画像処理部５へ出力する。
【００４４】
画像処理部５は、リモコン発信器６のキー操作による情報に基づいて、書画カメラ１０３の撮像映像信号と画像データ記録部４の記憶映像信号とを例えば図示しないスイッチ手段等で切り換えてフレーム合成し、多画面映像信号を生成する。また、画像処理部５は、リモコン発信器６のキー操作による情報に基づいて、多画面を構成する各画面の映像信号に対し水平・垂直圧縮処理等を施して、位置や面積を調整して表示デバイス駆動部１１７へ出力する。
【００４５】
図４及び図５は多画面表示の例を説明する図であり、図４は小画面を４画面表示した例を示し、図５は小画面を９画面表示した例を示している。
【００４６】
図４における投射画面４０では例えば、小画面４１には書画カメラ１０３から撮像している映像Ａを表示し、小画面４２，４３，４４には画像データ記録部４に記憶された撮影済みの映像Ｂ，Ｃ，Ｄを表示している。
【００４７】
図５における投射画面５０は、９画面表示を示したものであり、例えば、書画カメラ１０３から撮像している映像Ａを小画面５１に表示し、画像データ記録部４に記憶された撮影済みの映像Ｂ〜Ｉを、小画面５２〜５９に表示している。
【００４８】
しかし、この図５のように表示する画面が多くなると、１つの小画面が小さ過ぎて解像度が不足して見辛くなり、また、どの画像に注目すべきか、視聴者が迷うことになりかねない。
【００４９】
それを防止するために、リモコン発信器６のキー操作により注目させたい画面を選択し、図６（ａ）に示すような強調表示等の画像処理を施すこともできる。
図６（ａ）は選択した小画面の枠を額縁状に強調表示した例を示す。
【００５０】
例えば図５の表示状態において、ユーザーが、リモコン発信器６の１０キーを操作して小画面５１を選択し、さらに図示しない強調表示モードキーを押下すると、画像処理部５の図示しない枠表示回路により、小画面５１の枠部５１ｆが例えば図６（ａ）に示す枠部６１ｆのように変り、額縁状の輪郭を形成して小画面５１を強調表示する。このようにして、選択した小画面と他の小画面との違いを認識できるようにしている。
【００５１】
さらに、ユーザーが例えば、図６（ａ）の小画面５１のみ表示したい場合は、リモコン発信器６の図示しない拡大キーを押下することによって、画像処理部５で小画面５１の映像信号のみが選択され、図６（ｂ）に示すように投射画面６０ｂに小画面５１の映像Ａが拡大表示されるようになる。また、元の９画面の表示に戻す時は、リモコン発信器６の図示しない“元に戻る”キーを押下することによって、小画面５１〜５９による投射画面６０ａが再び表示される。
【００５２】
また、図７と図８には、図６（ａ）とは異なる強調表示の表示例を示している。図７の投射画面７０は、選択画面７１（映像Ａ）以外の小画面７２〜７９（映像Ｂ〜Ｉ）に網掛けを施して選択画面７１（映像Ａ）のみ認識できるようにしている。また、図８の投射画面８０は選択画面８１の枠部８１ｆを立体的にしてあたかもその選択画面を切り出したかのように表示して他の小画面との違いを認識できるようにしている。
【００５３】
以上により、本発明の第２の実施の形態では、撮影済みの映像を映しながら同時に書画カメラの撮像映像をも映して、多画面表示でき、さらに、パソコン等の外部情報機器の映像をも表示できる。
【００５４】
尚、以上述べた実施の形態では、パソコン等の外部情報機器から供給される映像信号を１つの入力端子３を介してプロジェクタ本体部２へ供給しているものとして説明したが、これに限定されず、入力端子を２つ以上設けて構成し、外部情報機器からの映像信号を複数供給して、多画面表示するようにしても良い。
【００５５】
また、以上述べた実施の形態では、表示デバイスを例えば液晶表示素子を用いたものとして説明したが、これに限定されず、ＣＲＴ（陰極線管）を用いてスクリーンに投射する構成としても良い。
【００５６】
さらに、本発明の実施の形態においては、操作手段としてリモコン発信器を利用し、特定の画面の選択や強調表示等の画像処理の指示を行う場合を説明したが、これに限定されず、プロジェクタ本体部２に接続したマウス等を用いて操作手段を構成しても良い。
【００５７】
【発明の効果】
以上述べたように本発明によれば、書画カメラの撮像映像信号と画像データ記録部に記憶した映像信号とを合成処理し、スクリーンに拡大投射して多画面表示することができる。これにより、書画カメラで前もって撮影済みの映像を複数映しながら同時に書画カメラの撮像映像をも映して、１つの投射画面に表示することができる。
【図面の簡単な説明】
【図１】本発明の第１の実施の形態に係わる書画カメラ付きデータプロジェクタのブロック図。
【図２】図１の書画カメラ付きデータプロジェクタの斜視図。
【図３】本発明の第２の実施の形態に係わる書画カメラ付きデータプロジェクタのブロック図。
【図４】図３における書画カメラ付きデータプロジェクタの動作を説明する図。
【図５】図４の小画面を９画面表示した一例を示す図。
【図６】図５の小画面を強調表示し、拡大投射した一例を示す図。
【図７】他の強調表示した例を示す図。
【図８】別の他の強調表示した例を示す図。
【図９】従来の書画カメラ付きデータプロジェクタのブロック図。
【図１０】図９の書画カメラ付きデータプロジェクタの斜視図。
【符号の説明】
１        …書画カメラ付きデータプロジェクタ
２        …プロジェクタ本体部
３        …入力端子
４        …画像データ記録部
５        …画像処理部
６        …リモコン発信器
（操作手段）
７        …リモコン受信部
８        …投射画面
９        …書画画面
４０，５０，６０ａ，
６０ｂ，７０，８０
…投射画面
４１〜４４，５１〜５９，
７１〜７９，８１〜８９
…小画面
Ａ〜Ｉ    …映像
【図１】
0003784964.tif 000002
【図２】
0003784964.tif 000003
【図３】
0003784964.tif 000004
【図４】
0003784964.tif 000005
【図５】
0003784964.tif 000006
【図６】
0003784964.tif 000007
【図７】
0003784964.tif 000008
【図８】
0003784964.tif 000009
【図９】
0003784964.tif 000010
【図１０】
0003784964.tif 000011